【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機であって、
前記特定遊技状態とするか否かを、識別情報の表示結果が導出表示される以前に決定する事前決定手段と、
前記事前決定手段の決定にもとづいて、前記変動表示部において、識別情報の変動表示が開始されてから表示結果が導出表示されるまでに一旦所定の仮停止態様で変動表示を仮停止させた後に変動表示を再度実行する再変動を１回または複数回実行する再変動表示パターンを含む予め定められた複数種類の識別情報の変動表示パターンの中から１つの変動表示パターンを選択する変動表示パターン選択手段と、
前記変動表示パターン選択手段が選択した変動表示パターンにもとづいて、識別情報の変動表示を実行する変動表示実行手段と、
前記変動表示パターン選択手段により再変動表示パターンが選択されたときの変動表示において、第１段階から複数段階の予告ステップにより行なうステップアップ予告演出を実行するか否かを選択するとともに、前記ステップアップ予告演出を実行するときの各再変動における予告演出態様を複数種類の予告演出態様の中から選択する予告演出選択手段と、
前記予告演出選択手段により前記ステップアップ予告演出を実行する選択がされたときに、再変動表示パターンで実行される再変動の各々において、選択された予告演出態様で前記ステップアップ予告演出を実行する予告演出実行手段とを備え、
前記予告演出実行手段は、
前記変動表示実行手段による再変動表示パターンにもとづく変動表示における再変動の各々において前記複数段階の予告ステップを実行し、
再変動表示パターン以外の変動表示パターンにもとづく変動表示の実行中においても前記ステップアップ予告演出を実行する
ことを特徴とする遊技機。
【請求項２】
遊技媒体を用いて１ゲームに対して所定数の賭数を設定することによりゲームを開始させることが可能となり、各々を識別可能な複数種類の入賞用識別情報を変動表示させる入賞用変動表示部に表示結果が導出表示されることにより１ゲームが終了し、該入賞用変動表示部に導出表示された表示結果に応じて入賞が発生可能である遊技機であって、
各々を識別可能な複数種類の演出用識別情報を変動表示する演出用変動表示部と、
前記演出用変動表示部に導出表示された演出用識別情報の表示結果が予め定められた特殊表示結果となることによって、遊技者にとって有利な状態に移行する移行条件が成立していることを示唆する示唆演出手段と、
前記特殊表示結果とするか否かを、演出用識別情報の表示結果が導出表示される以前に決定する演出用事前決定手段と、
前記演出用事前決定手段の決定にもとづいて、前記演出用変動表示部において、演出用識別情報の変動表示が開始されてから表示結果が導出表示されるまでに一旦所定の仮停止態様で変動表示を仮停止させた後に変動表示を再度実行する再変動を１回または複数回実行する再変動表示パターンを含む予め定められた複数種類の識別情報の変動表示パターンの中から１つの変動表示パターンを選択する変動表示パターン選択手段と、
前記変動表示パターン選択手段が選択した変動表示パターンにもとづいて、演出用識別情報の変動表示を実行する演出用変動表示実行手段と、
前記変動表示パターン選択手段により再変動表示パターンが選択されたときの変動表示において、第１段階から複数段階の予告ステップにより行なうステップアップ予告演出を実行するか否かを選択するとともに、前記ステップアップ予告演出を実行するときの各再変動における予告演出態様を複数種類の予告演出態様の中から選択する予告演出選択手段と、
前記予告演出選択手段により前記ステップアップ予告演出を実行する選択がされたときに、再変動表示パターンで実行される再変動の各々において、選択された予告演出態様で前記ステップアップ予告演出を実行する予告演出実行手段とを備え、
前記予告演出実行手段は、
前記演出用変動表示実行手段による再変動表示パターンにもとづく変動表示における再変動の各々において前記複数段階の予告ステップを実行し、
再変動表示パターン以外の変動表示パターンにもとづく変動表示の実行中においても前記ステップアップ予告演出を実行する
ことを特徴とする遊技機。
【手続補正２】
【補正対象書類名】明細書
【補正対象項目名】００１３
【補正方法】変更
【補正の内容】
【００１３】
本発明による遊技機は、各々を識別可能な複数種類の識別情報（例えば、演出図柄）を変動表示する変動表示部（例えば、演出表示装置９）を備え、変動表示部に導出表示された識別情報の表示結果が予め定められた特定遊技状態となったときに、遊技者にとって有利な特定遊技状態に制御する遊技機（例えばパチンコ機１）であって、特定表示結果とするか否かを、識別情報の表示結果が導出表示される以前に決定する事前決定手段（例えば、遊技制御用マイクロコンピュータ５６０におけるステップＳ６１の処理を実行する部分）と、事前決定手段の決定にもとづいて、変動表示部において、識別情報の変動表示が開始されてから表示結果が導出表示されるまでに一旦所定の仮停止態様で変動表示を仮停止させた後に変動表示を再度実行する再変動を１回または複数回実行する（例えば、図４（Ｄ）に示す仮停止後に、図４（Ｅ）に示すように全ての識別情報を再変動させる）再変動表示パターンを含む予め定められた複数種類の識別情報の変動表示パターン（例えば、図８，図９に示す変動パターン）の中から１つの変動表示パターンを選択する変動表示パターン選択手段（例えば、遊技制御用マイクロコンピュータ５６０におけるステップＳ１０５の処理を実行する部分）と、変動表示パターン選択手段が選択した変動表示パターンにもとづいて、識別情報の変動表示を実行する変動表示実行手段と（例えば、演出制御用マイクロコンピュータ１００において、「擬似連」の演出を含む変動パターンにもとづいて、ステップＳ５１８〜Ｓ５２０およびステップＳ８４０〜Ｓ８４５の処理を実行する部分）と、変動表示パターン選択手段により再変動表示パターンが選択されたときの変動表示において、第１段階から複数段階（例えば、４段階）の予告ステップにより行なうステップアップ予告演出を実行するか否かを選択するとともに、ステップアップ予告演出を実行するときの各再変動における予告演出態様を複数種類の予告演出態様の中から選択する予告演出選択手段（例えば、演出制御用マイクロコンピュータ１００におけるステップＳ５７４，Ｓ５７５の処理を実行する部分）と、予告演出選択手段によりステップアップ予告演出を実行する選択がされたときに、再変動表示パターンで実行される再変動の各々において、選択された予告演出態様でステップアップ予告演出を実行する予告演出実行手段（例えば、演出制御用マイクロコンピュータ１００におけるステップＳ８４６〜Ｓ８５５の処理にてステップアップ予告演出を実行する部分）とを備え、予告演出実行手段は、変動表示実行手段による再変動表示パターンにもとづく変動表示における再変動の各々において複数段階の予告ステップを実行し（例えば、図８６に示すように、擬似連の各変動において所定段階のステップアップ予告を実行し）、再変動表示パターン以外の変動表示パターン（例えば、擬似連の変動パターン以外の変動パターン）にもとづく変動表示の実行中においてもステップアップ予告演出（例えば、第１ステップアップ予告演出）を実行することを特徴とする。なお、「ステップアップ予告演出の予告演出態様」とは、ステップアップ予告演出が１つの系統しか存在していない場合には、段階数によって定められる演出であり、ステップアップ予告演出が演出複数系統存在している場合（例えば、通常系統と分岐系統）には、系統及び段階数によって定められる演出である。また、同一段階数において複数種類の演出パターン（例えば特定モチーフが表示される演出と特定モチーフとは異なる通常モチーフが表示される演出）が実行可能な場合には、系統、段階数及び演出パターンによって定められる演出であってもよい。
【手続補正３】
【補正対象書類名】明細書
【補正対象項目名】００１５
【補正方法】変更
【補正の内容】
【００１５】
本発明による遊技機は、遊技媒体を用いて１ゲームに対して所定数の賭数を設定することによりゲームを開始させることが可能となり、各々を識別可能な複数種類の入賞用識別情報（例えば、リール５０２Ｌ、５０２Ｃ、５０２Ｒの外周部に配された「赤７（図中白抜き７）」、「ＢＡＲ」、「リプレイ」、「スイカ」、「チェリー」、「ベル」といった互いに識別可能な複数種類の図柄）を変動表示させる入賞用変動表示部（例えば、リール５０２Ｌ、５０２Ｃ、５０２Ｒ）に表示結果が導出表示されることにより１ゲームが終了し、入賞用変動表示部に導出表示された表示結果に応じて入賞が発生可能である遊技機（例えばスロットマシン５０１）であって、各々を識別可能な複数種類の演出用識別情報（例えば、液晶表示器５５１に表示される図柄Ｚ１〜Ｚ３）を変動表示する演出用変動表示部（例えば、液晶表示器５５１）と、演出用変動表示部に導出表示された演出用識別情報の表示結果が予め定められた特殊表示結果（例えば、図柄Ｚ１〜Ｚ３の組み合わせが「７・７・７」で揃ったとき）となることによって、遊技者にとって有利な状態（例えば、レギュラーボーナス、ビッグボーナス、ＣＴ・ＲＴ・ＡＴ・ＡＲＴ等）に移行する移行条件が成立していることを示唆する示唆演出手段（例えば、サブ制御部５９１における示唆演出を実行する部分）と、特殊表示結果とするか否かを、演出用識別情報の表示結果が導出表示される以前に決定する演出用事前決定手段（例えば、サブ制御部５９１における特殊表示結果を導出表示するか否かを判定する処理を実行する部分）と、演出用事前決定手段の決定にもとづいて、演出用変動表示部において、演出用識別情報の変動表示が開始されてから表示結果が導出表示されるまでに一旦所定の仮停止態様で変動表示を仮停止させた後に変動表示を再度実行する再変動を１回または複数回実行する（例えば、液晶表示器５５１において図４（Ｄ）に示す仮停止後に、図４（Ｅ）に示すように全ての演出用識別情報を再変動させる）再変動表示パターン（例えば、図８、図９に示す特定演出が疑似連の変動パターン）を含む予め定められた複数種類の識別情報の変動表示パターン（例えば、図８、図９に示す変動パターン）の中から１つの変動表示パターンを選択する変動表示パターン選択手段（例えば、サブ制御部５９１におけるステップＳ１０５に相当する処理を実行する部分）と、変動表示パターン選択手段が選択した変動表示パターンにもとづいて、演出用識別情報の変動表示を実行する演出用変動表示実行手段（例えば、サブ制御部５９１において、ステップＳ５１８〜Ｓ５２０およびステップＳ８４０〜Ｓ８４５に相当する処理を実行する部分）と、変動表示パターン選択手段により再変動表示パターンが選択されたときの変動表示において、第１段階から複数段階（例えば、４段階）の予告ステップにより行なうステップアップ予告演出を実行するか否かを選択するとともに、ステップアップ予告演出を実行するときの各再変動における予告演出態様を複数種類の予告演出態様の中から選択する予告演出選択手段（例えば、メイン制御部５９１におけるステップＳ５７４，Ｓ５７５に相当する処理を実行する部分）と、予告演出選択手段によりステップアップ予告演出を実行する選択がされたときに、再変動表示パターンで実行される再変動の各々において、選択された予告演出態様でステップアップ予告演出を実行する予告演出実行手段（例えば、サブ制御部５９１におけるステップＳ８４６〜Ｓ８５５に相当する処理を実行する部分）とを備え、予告演出実行手段は、演出用変動表示実行手段による再変動表示パターンにもとづく変動表示における再変動の各々において複数段階の予告ステップを実行し（例えば、図８６に示すように、擬似連の各変動において所定段階のステップアップ予告を実行し）、再変動表示パターン以外の変動表示パターン（例えば、擬似連の変動パターン以外の変動パターン）にもとづく変動表示の実行中においてもステップアップ予告演出（例えば、第１ステップアップ予告演出）を実行することを特徴とする。なお、有利な状態とは特定遊技状態であってもよいし、特定遊技状態とは異なる遊技者にとって有利な遊技状態であってもよい。なお、「ステップアップ予告演出の予告演出態様」とは、ステップアップ予告演出が１つの系統しか存在していない場合には、段階数によって定められる演出であり、ステップアップ予告演出が演出複数系統存在している場合（例えば、通常系統と分岐系統）には、系統及び段階数によって定められる演出である。また、同一段階数において複数種類の演出パターン（例えば特定モチーフが表示される演出と特定モチーフとは異なる通常モチーフが表示される演出）が実行可能な場合には、系統、段階数及び演出パターンによって定められる演出であってもよい。
【手続補正４】
【補正対象書類名】明細書
【補正対象項目名】００２３
【補正方法】変更
【補正の内容】
【００２３】
請求項１記載の発明では、予告演出実行手段は、変動表示実行手段による再変動表示パターンにもとづく変動表示における再変動の各々において複数段階の予告ステップを実行し、再変動表示パターン以外の変動表示パターンにもとづく変動表示の実行中においてもステップアップ予告演出を実行するように構成されているので、再変動表示パターンによる変動表示とステップアップ予告演出との間に関連性を持たせ、遊技の興趣の向上を図ることができる。
【手続補正５】
【補正対象書類名】明細書
【補正対象項目名】００２５
【補正方法】変更
【補正の内容】
【００２５】
請求項２記載の発明では、予告演出実行手段は、演出用変動表示実行手段による再変動表示パターンにもとづく変動表示における再変動の各々において複数段階の予告ステップを実行し、再変動表示パターン以外の変動表示パターンにもとづく変動表示の実行中においてもステップアップ予告演出を実行するように構成されているので、再変動表示パターンによる変動表示とステップアップ予告演出との間に関連性を持たせ、遊技の興趣の向上を図ることができる。